(57)【要約】【課題】スイッチング電源によるビートを抑えた良好な画像を安定して表示できるチューナを取り付け可能な、スイッチング電源を備える映像表示装置を提供すること。【解決手段】三角波発生回路１７ｂに周波数信号を入力する手段としてＣＲ発振器１７ａと水平同期周波数信号の１／２の整数倍の周波数信号を出力するＰＬＬ回路２９を設け、同期分離回路３３が水平同期信号を検知できればＰＬＬ回路２９からの周波数信号を三角波発生回路１７ｂに送り、水平同期信号を検知できない場合にはＣＲ発振器１７ａからの周波数信号、或は、水平同期信号を検知できなくなる直前のＰＬＬ回路２９から出力された周波数信号を三角波発生回路１７ｂに送る。【選択図】  図１
2004187152.tif 000002
【特許請求の範囲】
【請求項１】
直流入力電圧を交流電圧に変換するスイッチング部と、該スイッチング部の出力電圧を整流する整流部と、該整流部の出力電圧を平滑化して安定化電圧を形成する平滑化部と、該安定化電圧に基づくフィードバック電圧を基準電圧と比較する比較部と、発振器からの発振周波数信号に基づいてパルス波を出力するパルス波発生部と、該パルス波発生部からのパルス幅を該比較部の出力信号に基づいて制御し、制御後パルス波に基づいてスイッチング部を駆動するパルス幅制御部と、を有するスイッチング電源を備える映像表示装置であって、
前記安定化電圧により駆動する映像信号受信部と、
前記電波受信部で受信した映像信号の水平同期信号を検知し、水平同期周波数信号を出力する同期分離部と、
前記水平同期周波数信号の１／２の整数倍の水平同期化周波数信号を出力する水平同期化周波数信号生成部と、
前記発振周波数信号と前記水平同期化周波数信号の何れか一方をパルス波発生部に入力する制御部と、
を有し、
前記パルス波発生部は、前記発振周波数信号と前記水平同期化周波数信号の何れか一方の信号に基づいてパルス波を出力可能であり、
前記制御部は、前記同期分離部が水平同期信号を検知する第１の状態では前記水平同期化周波数信号を前記パルス波発生部に入力することを特徴とするスイッチング電源を備える映像表示装置。
【請求項２】
前記制御部は、前記同期分離部が水平同期信号を検知しない第２の状態では前記発振周波数信号を前記パルス波発生部に入力することを特徴とする請求項１に記載のスイッチング電源を備える映像表示装置。
【請求項３】
前記制御部は、前記第１の状態から前記同期分離部が水平同期信号を検知しない第２の状態に移行した場合には、該第１の状態で用いた前記水平同期化周波数信号を前記パルス波発生部に入力することを特徴とする請求項２に記載のスイッチング電源を備える映像表示装置。
【発明の詳細な説明】
【０００１】
【発明の属する技術分野】
本発明は、チューナ回路の駆動電源としてスイッチング電源を備える映像表示装置、例えばカメラに替えてチューナを取り付け可能なカメラ一体型ＶＴＲ、車載テレビ、カーナビゲーション、携帯テレビ等のスイッチング電源を備える映像表示装置に関する。
【０００２】
【従来の技術】
図８は、カメラカメラ一体型ＶＴＲ等に用いられるスイッチング電源の概略ブロック図であり、非安定な直流電圧を入力する非安定入力端子１と、非安定な直流電圧を入力してスイッチング動作により方形波交流に変換するスイッチング素子部３と、スイッチング素子（回路）３の出力電圧を整流（交流から直流を取り出し）する整流部５と、整流部５の出力を平滑化（整流された波形からリプル（脈動）の取り除き）をする平滑化部７と、平滑化部７から出力される安定化出力の出力端子９と、平滑化部７から出力される安定化直流電圧を更に安定化するために基準電圧部１３からの基準電圧と比較し、誤差電圧を増幅する比較・増幅部１１と、比較・増幅部１１からの出力電圧に基づいて発振回路部１７から入力するパルスのＯＮ時間を調整した制御電圧でスイッチング素子部３のスイッチング（ＯＮ・ＯＦＦ）動作を制御するパルス幅制御部１５と、を有する。
【０００３】
パルス幅制御部１５では、平滑化部７から出力される安定化出力が上昇するときには発振周波数内でのＯＮ時間のパルス幅を短くし、安定化出力が下降するときには発振周波数内でのＯＮ時間のパルス幅を長くするようにパルスのＯＮ時間を調整する。
【０００４】
図９は、従来のカメラカメラ一体型ＶＴＲカメラに用いられるスイッチング電源近傍の具体的な回路図を示している。
【０００５】
例えば、非安定入力端子１に供給される非安定電圧は、バッテリー１ａと該バッテリーとグランド間に整流用のコンデンサ１ｂを設けて形成し、スイッチング素子部３は、トランジスタ３ａで形成し、整流部５はダイオード５ａにて形成し、平滑化部７はコイル７ａとコンデンサ７ｂにて形成し、基準電圧部１３は直流基準電源１３ａにて形成し、比較・増幅部１１はプラス端子に基準電源１３ａからの出力を入力し、マイナス端子に抵抗Ｒａ，Ｒｂで分割した平滑化部７からの出力電圧を入力する入力誤差増幅器１１ａ（差動増幅器：オペアンプ）にて形成し、発振回路部１７は所定の発振周波数信号を出力するＣＲ発振器１７ａと、該ＣＲ発振器１７ａの発振周波数の三角波を出力する三角波発生回路１７ｂで形成し、パルス幅制御部１５はプラス端子に入力誤差増幅器１１ａの出力を入力し、マイナス端子に三角波発生回路１７ｂの出力を入力するコンパレータ（差動増幅器：オペアンプ）１５ａと、コンパレータ１５ａを入力し、トランジスタ３ａをスイッチングする駆動回路１５ｂで形成している。
【０００６】
以上の構成により、抵抗Ｒａ，Ｒｂで分割された安定化出力Ｖｏは、誤差増幅器１１ａにて基準電源１３ａとの差分が増幅されてコンパレータ１５ａに送られる。コンパレータ１５ａでは、固定（所望）の発振周波数を出力するＣＲ発振器１７ａに基づいて三角波発生回路１７ｂで作成した三角波と誤差増幅器１１ａからの出力が比較されスイッチングパルス幅の制御が行なわれる。
【０００７】
コンパレータ１５ａで作られたスイッチングパルスは駆動回路１５ｂに送られ、駆動回路１５ｂはトランジスタ３ａをスイッチングする。バッテリー１ａから供給される電力はトランジスタ３ａにてスイッチングされて、ダイオード５ａにて整流され、そしてコイル７ａとコンデンサ７ｂにて平滑され、出力端子９より安定化出力電圧Ｖｏが出力される。
【０００８】
安定化出力電圧Ｖｏはビデオカメラ信号処理回路１９に送られ、レンズ２１とＣＣＤ２３を介して撮影された映像信号がモニター２５に映し出される。
【０００９】
ところで、ビデオカメラ信号処理回路１９は微小な信号を扱うため外部のノイズ、とりわけスイッチング電源のノイズの影響を受け、表示画面の映像上に見ていて不快な斜めに流れる細かな線（ビート）が発生する。
【００１０】
係るビート対策として、ビデオカメラ信号処理回路１９にシールドを施したり、電源から遠ざけるように配置したり、安定化出力電圧Ｖｏの電源ラインにフィルターを挿入するなどの措置がとられているが、ビデオカメラの小型化に伴いスイッチング電源との間隔が十分とれなくなったり、シールドが十分に出来なかったり、電源ラインに十分なフィルターを入れられなくなる等制約が出てきており、図８に示す従来の構成では映像信号にスイッチング電源のノイズが入りやすいという課題が生じていた。
【００１１】
そこで更なるノイズ対策として、映像信号の水平同期周波数の１／２の整数倍の周波数にスイッチング電源の基本三角波の周波数を同期させ、スイッチング周波数を映像信号の各々の輝度信号成分間の無信号部分に同期させることで、画面上に表れるビートを人間の視覚では認識できないレベルに抑える方法がある（例えば、特許文献１参照）。
【００１２】
【特許文献１】
特開平９−３１２８２２号公報（段落［０００９］から［００１１］）
【００１３】
【発明が解決しようとする課題】
しかしながら、カメラによる撮像信号を表示画面に表示する場合には、常に水平同期周波数を得ることができるため問題ないが、昨今では、カメラに替えてチューナを映像表示装置に取り付けてポータブルＴＶとして使用するユーザニーズが高まっており、係るチューナを用いてＴＶ映像を表示する場合には、例えば、そのポータブル性から使用環境により電波が弱くなり水平同期信号を検知できなくなったり、受信チャネルを変更する間の無信号状態では水平同期信号を検知できず、スイッチング電源が不安定となり、映像信号の表示できなくなる不具合がある。
【００１４】
また、同様に装置の駆動開始時にも水平同期周波数が得られないので、スイッチング電源の不安定状態が発生してしまう。
【００１５】
本発明は、前記の問題点を解消するためになされたものであって、スイッチング電源によるビートを抑えた良好な画像を安定して表示できるチューナを取り付け可能な、スイッチング電源を備える映像表示装置を提供することを目的とする。
【００１６】
【課題を解決するための手段】
本発明は、上記の目的を達成するため、非安定な直流入力電圧を交流電圧に変換するスイッチング部と、該スイッチング部の出力電圧を整流する整流部と、該整流部の出力電圧を平滑化して安定化電圧を形成する平滑化部と、該安定化電圧に基づくフィードバック電圧を基準電圧と比較する比較部と、発振器からの発振周波数信号に基づいてパルス波を出力するパルス波発生部と、該パルス波発生部からのパルス幅を該比較部の出力信号に基づいて制御し、制御後パルス波に基づいてスイッチング部を駆動するパルス幅制御部と、を有するスイッチング電源を備える映像表示装置に関する。
【００１７】
本発明のスイッチング電源を備えた映像表示装置では、前記安定化電圧により駆動する映像信号受信部と、前記電波受信部で受信した映像信号の水平同期信号を検知し、水平同期周波数信号を出力する同期分離部と、前記水平同期周波数信号の１／２の整数倍の水平同期化周波数信号を出力する水平同期化周波数信号生成部と、前記発振周波数信号と前記水平同期化周波数信号の何れか一方をパルス波発生部に入力する制御部と、を設け、前記パルス波発生部は、前記発振周波数信号と前記水平同期化周波数信号の何れか一方の信号に基づいてパルス波を出力可能とし、前記同期分離部が水平同期信号を検知する第１の状態では前記水平同期化周波数信号を前記パルス波発生部に入力する。
【００１８】
上記構成により、パルス波発生部に周波数信号を入力する手段として固定の周波数を出力する発振器と水平同期周波数信号の１／２の整数倍の水平同期化周波数信号を出力する水平同期化周波数信号生成部を設け、同期分離部が水平同期信号を検知できれば水平同期化周波数信号を前記パルス波発生部に送ることで、映像信号を受信している間は、スイッチングノイズの周波数は映像信号の輝度信号の無信号成分間にインターリーブされ、モニター上で見えなくなり電源ビートの問題が解決できる。
【００１９】
また、前記同期分離部が水平同期信号を検知しない第２の状態では前記発振周波数信号を前記パルス波発生部に入力することで、映像信号の受信状態が悪かったり、装置の起動時や、チャンネル変更時等の水平同期信号を検知できない場合であっても、確実に安定した直流電圧を得ることができる。
【００２０】
また、前記第１の状態から前記同期分離部が水平同期信号を検知しない第２の状態に移行した場合には、該第１の状態で用いた前記水平同期化周波数信号を維持して、その固定の水平同期化周波数信号を前記パルス波発生部に入力することで、映像信号の受信状態が悪かったり、装置の起動時や、チャンネル変更時等の水平同期信号を検知できない場合であってもパルス波発生部に入力する周波数信号が無くなり、不安定な状態になることを簡単な手段にて防ぐことができる。
【００２１】
【発明の実施の形態】
［第１の実施の形態］
以下、図１、２を参照して本発明の第１の実施形態に係る映像表示装置を詳細に説明する。尚、上記した図８，９の構成と同一部分には同一符号を付し、その説明を省略する。
【００２２】
図１は、チューナユニット３５を設けた映像表示装置の回路図である。本実施形態では、三角波発生回路１７ｂに周波数信号を送る発振回路としてＣＲ発振器１７ａに並行してＰＬＬ（ｐｈａｓｅ−ｌｏｃｋｅｄ  ｌｏｏｐ：位相同期ループ）回路２９を設けている。
【００２３】
チューナユニット３５は、電源電力として出力端子９より出力電圧Ｖｏが供給され、アンテナ３７にて受信した映像信号をモニター２５に供給すると共に、同期分離回路３３にも供給する。
【００２４】
同期分離回路３３は、入力した映像信号から水平同期信号を検知し、その水平同期周波数ｆＨ１をＰＬＬ回路２９に供給する。
【００２５】
水平同期周波数ｆＨ１を入力したＰＬＬ回路２９は、制御回路３１の制御の基で、係る水平同期周波数ｆＨ１の１／２の整数倍の水平同期化周波数ｆｏを出力する。
【００２６】
また、水平同期周波数ｆＨ１は、制御回路３１により入力、監視され、同期分離回路３３が水平同期信号を検知できているか否かの判断に用いられる。
【００２７】
制御回路３１は、水平同期周波数ｆＨ１を検知した場合（電波の受信状況が良い場合）には、三角波発生回路１７ｂにＰＬＬ回路２９の周波数信号を入力するように、水平同期周波数ｆＨ１を検知できない場合（電波の受信状況が悪い場合）には、三角波発生回路１７ｂにＣＲ発振器１７ａからの周波数信号を入力するように切換スイッチ２７を制御する。
【００２８】
切換スイッチ２７は、ＣＲ発振器１７ａと接続されたＣＲ発振器側端子２７ａと、ＰＬＬ回路２９と接続されたＰＬＬ回路側端子２７ｂと、三角波発生回路１７ｂと接続され、ＣＲ発振器側端子２７ａとＰＬＬ回路側端子２７ｂの何れか一方と接続する切換ロッド（手段）２７ｃを有している。
【００２９】
本実施形態では、固定周波数を出力する発振回路としてＣＲ発振器１７ａを用いたが、所望の固定周波数を得られるものであればよく、例えば、ＬＣ発振器や水晶発振器でもよい。
【００３０】
次に、図１、２を参照しつつ本発明の実施形態に係る映像表示装置の動作を説明する。
図示しない電源スイッチをＯＮすると（ステップＳ１）、制御回路３１はＣＲ発振器１７ａが三角波発生回路１７ｂに接続するように切換スイッチ２７の切換ロッド２７ｃをＣＲ発振器側端子２７ａに接続（ステップＳ２）してＣＲ発振器１７ａの固定周波数を三角波発生回路１７ｂに出力することで、ＤＣ／ＤＣコンバータ回路（符号１，３，５，７，９）のスイッチングを開始し、出力端子９より安定化出力電圧Ｖｏをチューナユニット３５に出力する（ステップＳ３）。
【００３１】
制御回路３１は、同期分離回路３３からの水平同期周波数信号を監視する（ステップＳ４）。
【００３２】
ステップＳ４で水平同期周波数信号を検出した場合（ステップＳ５）には、制御回路３１は、切換スイッチ２７の切換ロッド２７ｃをＰＬＬ回路側端子２７ｂに接続することで、ＰＬＬ回路２９よりＴＶ（テレビ）映像信号の水平同期周波数ｆＨ１の１／２の整数倍の水平同期化周波数ｆｏを三角波発生回路１７ｂに出力し、ステップＳ４に戻る。
【００３３】
ステップＳ４で水平同期周波数信号を検出しない場合（ステップＳ７）には、制御回路３１は切換スイッチ２７の切換ロッド２７ｃとＣＲ発振器側端子２７ａとの接続を維持、或は、切換ロッド２７ｃをＣＲ発振器側端子２７ａに接続することでＣＲ発振器１７ａの固定周波数を三角波発生回路１７ｂに出力し、ステップＳ４に戻る。
【００３４】
以上のように同期分離回路２３が水平同期信号を検出できる場合には、制御回路３１はその水平同期周波数ｆＨ１の１／２の整数倍の水平同期化周波数ｆｏを三角波発生回路１７ｂに出力するように切換スイッチ２７を制御することで、スイッチングノイズの周波数は映像信号の輝度信号の無信号成分間にインターリーブされ、モニター２５上で見えなくなり、電源ビートのない綺麗なＴＶ映像を提供できる。
【００３５】
また、制御回路３１は、装置の起動開始時の水平同期信号がない場合や、チャンネルを切り替えた時に水平同期信号が乱れる場合や、弱電界で水平周期信号を同期分離回路３３が検出するのが困難な場合には、ＣＲ発振器１７ａの固定周波数を三角波発生回路１７ｂに出力するように切換スイッチ２７を制御することで、安定、確実に安定化出力電圧Ｖｏをチューナユニット３５に供給できる。
【００３６】
尚、上記実施形態では、ステップＳ４で水平同期信号を検出しない場合には、制御回路３１は切換スイッチ２７をＣＲ発振器１７ａの固定周波数を三角波発生回路１７ｂに出力するように制御（ステップＳ８）したが、図３に示すように前記ステップ８に代わって、ステップＳ４で水平同期信号を検出しないと判断される前（直前）に使用していた周波数を三角波発生回路１７ｂに出力するように制御回路３１が切換スイッチ２７とＰＬＬ回路２９を制御することもできる（ステップＳＳ８ａ）。
【００３７】
例えば、ステップＳ４で水平同期信号を検出しないと判断される前（直前）に使用していた発振器がＣＲ発振器１７ａである場合には、ステップＳ８と同様、制御回路３１は切換スイッチ２７をＣＲ発振器１７ａの固定周波数を三角波発生回路１７ｂに出力する。
【００３８】
一方、ステップＳ４で水平同期信号を検出しないと判断される前（直前）に使用していた発振器がＰＬＬ回路２９であった場合、制御回路３１は切換スイッチ２７をＰＬＬ回路２９側に維持し、且つ、ステップＳ４で水平同期信号を検出しないと判断される直前に使用していた水平同期化周波数ｆｏにＰＬＬ回路２９の発振周波数を固定するようにＰＬＬ回路２９を制御する。
【００３９】
以上の構成により、チューナ使用時に、チューナの受信レベルの低下や受信チャンネル変更等した場合にも、電源回路を安定的に動作させることが可能である。
【００４０】
また、チューナの受信レベルが低下したりチャンネル変更の度に、切換スイッチ２７をＣＲ発振器１７ａ側に切り替え、また、受信レベルが回復して高くなった場合等に、再度、ＰＬＬ回路２９側に切り替える機械的、或いは電気的切換動作が不要となるので、処理動作工程を減らし、処理スピードを向上させたり部品寿命を長くできるなどの効果がある。特に、チャンネル変更は頻繁に行われるため、係る構成は有効である。よって、ＰＬＬ回路２９を制御して発振周波数を固定することにより、電源回路を安定的に動作させることが可能である。
【００４１】
［第２の実施の形態］
以下、図４〜６を参照して本発明の第２の実施形態に係る映像表示装置を詳細に説明する。尚、前記した構成と同一部分には同一符号を付し、その説明を省略する。
【００４２】
前記第１の実施の形態の構成との相違点は、図４に示すようにカメラユニット（ビデオカメラ信号処理回路１９、レンズ２１、ＣＣＤ２３）を追加した構成であり、係るカメラユニットの追加に伴って切換スイッチ３９、４１、及び同期分離回路４３を追加した構成としている。
【００４３】
同期分離回路４３は、ビデオカメラ信号処理回路１９から受けた映像信号から水平同期信号を検出し、水平同期周波数ｆＨ２を切換スイッチ３９を介してＰＬＬ回路２９に供給する。
【００４４】
切換スイッチ３９は、制御回路３１からの制御信号に基づいて、チューナ側の同期分離回路３３とビデオカメラ側の同期分離回路４３の何れか一方を択一的にＰＬＬ回路２９に接続する切換スイッチであり、同期分離回路３３に接続されたチューナ側端子３９ａと、同期分離回路４３と接続されたビデオカメラ側端子３９ｂと、ＰＬＬ回路２９と接続され、チューナ側端子３９ａとカメラ側端子３９ｂの何れか一方と接続する切換ロッド（手段）３９ｃを有している。
【００４５】
ＰＬＬ回路２９は、入力信号の周波数信号に依存した周波数を出力する位相同期ループ回路であり、切換スイッチ３９を介して同期分離回路３３或は同期分離回路４３からの水平同期周波数信号を受信し、制御回路３１の制御により該周波数の１／２の整数倍の水平同期化周波数ｆｏを出力する。
【００４６】
水平同期周波数ｆＨ２は、水平同期周波数ｆＨ１と同様に制御回路３１に入力、監視され、同期分離回路４３が水平同期信号を検知できているか否かの判断に用いられる。
【００４７】
切換スイッチ４１は、チューナユニット３５からの映像信号とビデオカメラ信号処理回路１９からの映像信号の何れか一方をモニター２５に択一的に接続するスイッチであり、チューナユニット３５と接続されたチューナ側端子４１ａと、ビデオカメラ信号処理回路１９と接続されたカメラ側端子４１ｂと、モニター２５と接続され、チューナ側端子４１ａとカメラ側端子４１ｂの何れか一方と接続する切換ロッド（手段）４１ｃを有し、ユーザが任意に切換可能とするものである。尚、切換スイッチ４１の切り換えは、ユーザが行うことに限定するものではなく、制御回路２２からの制御信号等によって切り換えてもよい。
【００４８】
次に、図４、５を参照しつつ本発明の実施形態に係る映像表示装置の動作を説明する。尚、図２のフローチャートと同一工程には同一符号を示しおり、図２との相違部分は、ステップＳ３ａ，Ｓ３ｂ，Ｓ１０〜１４を追加し、ステップＳ６をステップＳ６ａに変更した点にある。
【００４９】
まず、図示しない電源スイッチをＯＮすると（ステップＳ１）、制御回路３１はＣＲ発振器１７ａが三角波発生回路１７ｂに接続するように切換スイッチ２７の切換ロッド２７ｃをＣＲ発振器側端子２７ａに接続（ステップＳ２）してＣＲ発振器１７ａの固定周波数を三角波発生回路１７ｂに出力することで、ＤＣ／ＤＣコンバータ回路（符号１〜７等）のスイッチングを開始し、出力端子９より安定化出力電圧Ｖｏを出力する（ステップＳ３）。
【００５０】
切換スイッチ４１がチューナ側に接続され、ＴＶ（テレビ）映像表示を行うチューナ使用時（ステップＳ３ａ）には、制御回路３１は同期分離回路３３からの水平同期周波数信号（周波数ｆＨ１）を監視する（ステップＳ４）。
【００５１】
ステップＳ４で水平同期信号を検出した場合（ステップＳ５）には、制御回路３１は切換スイッチ３９の切換ロッド３９ｃをチューナ側端子３９ａに接続すると共に、切換スイッチ２７の切換ロッド２７ｃをＰＬＬ回路側端子２７ｂに接続することで、ＰＬＬ回路２９よりチューナ映像信号の水平同期周波数ｆＨ１の１／２の整数倍の水平同期化周波数ｆｏを三角波発生回路１７ｂに出力する（ステップＳ６ａ）。
【００５２】
ステップＳ４で水平同期信号を検出しない場合（ステップＳ７）、例えば使用環境により受信放送信号が弱かったりノイズが多かったり、信号が安定していない場合や受信チャネルを変更する間の無信号状態等の場合には、制御回路３１は切換スイッチ２７の切換ロッド２７ｃとＣＲ発振器側端子２７ａとの接続を維持、或は、切換ロッド２７ｃをＣＲ発振器側端子２７ａに接続することでＣＲ発振器１７ａの固定周波数を三角波発生回路１７ｂに出力し、ステップＳ１１に戻る（ステップ８）。
【００５３】
切換スイッチ４１がビデオカメラ信号処理回路１９側に接続され、ビデオカメラでの撮影時（ステップＳ３ｂ）には、制御回路３１は同期分離回路４３からの水平同期周波数信号（周波数ｆＨ２）を監視する（ステップＳ１０）。
【００５４】
ステップＳ１０で水平同期信号を検出した場合（ステップＳ１１）には、制御回路３１は切換スイッチ３９の切換ロッド３９ｃをカメラ側端子３９ｂに接続すると共に、切換スイッチ２７の切換ロッド２７ｃをＰＬＬ回路側端子２７ｂに接続することで、ＰＬＬ回路２９よりビデオカメラ映像信号の水平同期周波数ｆＨ２の１／２の整数倍の水平同期化周波数ｆｏを三角波発生回路１７ｂに出力し、ステップＳ１０に戻る（ステップＳ１２）。
【００５５】
一方、ステップＳ１０で水平同期信号を検出しない場合（ステップ１３）には、制御回路３１は切換スイッチ２７の切換ロッド２７ｃとＣＲ発振器側端子２７ａとの接続を維持、或は、切換ロッド２７ｃをＣＲ発振器側端子２７ａに接続することでＣＲ発振器１７ａの固定周波数を三角波発生回路１７ｂに出力し、ステップＳ５に戻る（ステップＳ１４）。
【００５６】
以上のように同期分離回路３３，４３が水平同期信号を検出できる場合には、制御回路３１はその水平同期周波数ｆＨ１、ｆＨ２の１／２の整数倍の水平同期化周波数ｆｏを三角波発生回路１７ｂに出力するように切換スイッチ２７、３９を制御することで、スイッチングノイズの周波数は映像信号の輝度信号の無信号成分間にインターリーブされ、モニター２５上で見えなくなり、電源ビートのない綺麗な映像を提供できる。
【００５７】
また、制御回路３１は、装置の起動開始時や、チューナ受信においてチャンネルを切り替えた時に水平同期信号が乱れる場合や、弱電界で水平周期信号を同期分離回路３３が検出するのが困難な場合には、ＣＲ発振器１７ａの固定周波数を三角波発生回路１７ｂに出力するように切換スイッチ２７を制御することで、安定、確実に安定化出力電圧Ｖｏをチューナユニット３５に供給できる。
【００５８】
尚、図６に示すように、第２の実施形態の場合も前記第１の実施形態と同様に、ステップ８及びステップＳ１４に代わって、ステップＳ４，Ｓ１０で水平同期信号を検出しないと判断される前（直前）に使用していた周波数を三角波発生回路１７ｂに出力するように制御回路３１が切換スイッチ２７とＰＬＬ回路２９を制御（ステップＳ８ａ、Ｓ１４ａ）することで同様の作用効果が得られる。
【００５９】
例えば、ステップＳ４、Ｓ１０で水平同期信号を検出しないと判断される前（直前）に使用していた発振器がＣＲ発振器１７ａである場合には、ステップＳ８，Ｓ１４と同様、切換スイッチ２７をＣＲ発振器１７ａ側に維持し、一方、ステップＳ４、Ｓ１０で水平同期信号を検出しないと判断される前（直前）に使用していた発振器がＰＬＬ回路２９であった場合、切換スイッチ２７をＰＬＬ回路２９側に維持し、且つ、水平同期信号を検出しないと判断される直前に使用していた水平同期化周波数ｆｏにＰＬＬ回路２９の発振周波数を固定する。
【００６０】
以上の構成により、チューナ使用時に、チューナの受信レベルの低下や受信チャンネル変更等した場合にも、電源回路を安定的に動作させることが可能である。
【００６１】
また、チューナの受信レベルが低下したりチャンネル変更の度に、切換スイッチ２７をＣＲ発振器１７ａ側に切り替え、また、受信レベルが回復して高くなった場合等に、再度、ＰＬＬ回路２９側に切り替える機械的、或いは電気的切換動作が不要となるので、処理動作工程を減らし、処理スピードを向上させたりや部品寿命を長くできるなどの効果がある。特に、チャンネル変更は頻繁に行われるため、係る構成は有効である。よって、ＰＬＬ回路２９を制御して出力周波数を固定することにより、電源回路を安定的に動作させることが可能である。
【００６２】
［第３の実施の形態］
前記実施の形態（図１、図４）では、スイッチング電源のスイッチング素子、整流部、平滑化部の構成として、入力電圧よりも出力電圧を低くする降圧回路の構成を示したが、本発明のスイッチング電源はそれに限定されるものではなく、スイッチング電源のスイッチング素子、整流部、平滑化部の構成を入力電圧よりも出力電圧を高くする昇圧回路にて形成することもできる。以下、図７を参照して本発明の第３の実施形態に係る映像表示装置を詳細に説明する。
【００６３】
図７に示す映像表示装置は、図１に示す降圧回路で形成するスイッチング回路を昇圧回路にて形成した場合を示しており、前記実施の形態と同一構成には同一符号を付し、説明を省略する。
【００６４】
図１の降圧回路と図７の昇圧回路では、スイッチング素子部３を形成するトランジスタ３ａ、整流部５を形成するダイオード５ａ、平滑化部７を構成するコイル７ａの接続関係が相違している。
【００６５】
すなわち、コイル７ａをバッテリー１ａとダイオード５ａのアノード間に接続し、ダイオード５ａのカソードをコンデンサ７ｂに接続し、トランジスタ３ａのコレクタをコイル７ａとダイオード５ａのアノード間と接続し、エミッタを接地するように図１のスイッチング回路の接続関係を変更することでスイッチング回路を昇圧回路にすることができる。尚、コイル７ａは、コンデンサ７ｂと合わせて平滑化部７を形成する。
【００６６】
上記第１，第２の実施形態に係る映像表示装置のスイッチング回路を上記昇圧タイプ（図７）に変更した場合も、前記第１、第２の実施形態と同様の作用効果を奏することができる。
【００６７】
なお、前記実施の形態では本発明の好適例を説明したが、本発明はこれに限定されないことはもちろんである。
例えば、第２の実施の形態では、チューナユニット３５とカメラユニット１９〜２３とを備え、選択的に一方を使用する構成としていたが、それに限定するものではなく、共通の接続部を映像表示装置に設け、何れか一方を接続する構成とすることもできる。係る場合には、図５のチューナ使用時（ステップＳ３ａ）、或はビデオカメラ使用時（ステップＳ３ｂ）の何れかの工程を行うこととなる。
【００６８】
また、本発明の実施の形態では、図８に示したスイッチング電源の各構成の具体例として図１、４、７に示すような電気・電子回路、素子等を示したが、同様の作用効果を得ることのできる電気・電子回路、素子等に代替することができることは言うまでもない。
【００６９】
また、上記実施の形態では、スイッチング電源を備える映像表示装置の例としてカメラに替えてチューナを取り付け可能なカメラ一体型ＶＴＲを示したが、それに限定するものではなく、チューナで受信する映像信号を表示でき、且つ、移動可能な車載テレビ、カーナビゲーション機器、携帯テレビ等の映像表示装置に適用できる。
【００７０】
【発明の効果】
以上説明した通り、本発明によれば、映像信号を受信している間は、スイッチングノイズの周波数は映像信号の輝度信号の無信号成分間にインターリーブされ、モニター上で見えなくなり電源ビートの問題が解決できる。
【００７１】
また、映像信号の受信状態が悪かったり、装置の起動時や、チャンネル変更時等の水平同期信号を検知できない場合であっても、確実に安定した直流電圧を得ることができる。
【図面の簡単な説明】
【図１】本発明の第１の実施形態に係る映像表示装置のスイッチング電源回路の概略回路及びブロック図である。
【図２】本発明の第１の実施形態に係る映像表示装置のスイッチング電源回路の動作フローチャートである。
【図３】本発明の第１の実施形態に係る映像表示装置のスイッチング電源回路のその他の動作フローチャートである。
【図４】本発明の第２の実施形態に係る映像表示装置のスイッチング電源回路の概略回路及びブロック図である。
【図５】本発明の第２の実施形態に係る映像表示装置のスイッチング電源回路の動作フローチャートである。
【図６】本発明の第２の実施形態に係る映像表示装置のスイッチング電源回路のその他の動作フローチャートである。
【図７】本発明の第３の実施形態に係る映像表示装置のスイッチング電源回路の概略回路及びブロック図である。
【図８】スイッチング電源回路の概略ブロック図である。
【図９】従来の映像表示装置のスイッチング電源回路の概略回路及びブロック図である。
【符号の説明】
１  非安定入力（直流入力電圧）
３  スイッチング素子（スイッチング部）
５  整流回路（整流部）
７  平滑回路（平滑化部）
１１  比較・増幅回路（比較部）
Ｖｏ  安定化出力（安定化電圧）
１３  基準電圧
１５  パルス幅制御回路（パルス幅制御部）
１７  発振回路（パルス波発生部、発振器）
１ａ  バッテリー
３ａ  トランジスタ
５ａ  ダイオード
７ａ  コイル
７ｂ  コンデンサ
１３ａ  基準電源
１１ａ  入力誤差増幅器
１５ａ  コンパレータ
１５ｂ  駆動回路
１７ａ  ＣＲ発振器（発振器）
１７ｂ  三角波発生回路（パルス波発生部）
２７  切換スイッチ
２９  ＰＬＬ回路（水平同期化周波数信号生成部）
３１  制御回路（制御部）
３３  同期分離回路（同期分離部）
３５  チューナユニット（映像信号受信部）
ｆＨ１  水平同期周波数（水平同期周波数信号）
ｆｏ  水平同期化周波数（水平同期化周波数信号）
【図１】
2004187152.tif 000003
【図２】
2004187152.tif 000004
【図３】
2004187152.tif 000005
【図４】
2004187152.tif 000006
【図５】
2004187152.tif 000007
【図６】
2004187152.tif 000008
【図７】
2004187152.tif 000009
【図８】
2004187152.tif 000010
【図９】
2004187152.tif 000011